(57)【要約】【課題】エンジンカバーに一体に設けられる取付座の強度を確保しつつ、取付孔に対するラバーマウントの組み付け容易性を向上させる。【解決手段】このエンジンカバー１は、カバー本体部１０と、カバー本体部１０に一体に設けられ、円形取付孔３０が貫設された取付座板部２０と、円形取付孔３０に組み付けられて保持されたラバーマウントとを備えている。円形取付孔３０は、ラバーマウントの嵌合首部の外形状に対応する円弧を有する少なくとも１個の円弧状嵌合凹部３１と、円形取付孔３０の円周上の少なくとも１箇所に設けられた逃げ凹部３２とからなる。逃げ凹部３２は、円形取付孔３０に対するラバーマウントの組み付け時に、ラバーマウントの係止頭部が部分的に進入することを許容する。【選択図】図２
2008196395.tif 000002
【特許請求の範囲】
【請求項１】
カバー本体部と、該カバー本体部に一体に設けられ、円形取付孔が貫設された取付座板部と、該円形取付孔に組み付けられて保持されたラバーマウントと、を備え、
前記ラバーマウントは、マウント本体部と、該マウント本体部に一体に形成され、前記円形取付孔に嵌合される円形の外形状を有する嵌合首部と、該嵌合首部に一体に形成され、該嵌合首部の外形状よりも大きな外形状を有する係止頭部と、を有し、
前記円形取付孔は、前記嵌合首部の外形状に対応する円弧を有する少なくとも１個の円弧状嵌合凹部と、該円形取付孔の円周上の少なくとも１箇所に該円形取付孔から遠心方向に向かって凹むように設けられ、該円形取付孔に対する前記ラバーマウントの組み付け時に前記係止頭部が部分的に進入することを許容する逃げ凹部とからなることを特徴とするエンジンカバー。
【請求項２】
前記取付座板部は、前記カバー本体部の側端部から片持ち梁状に延びて設けられている請求項１に記載のエンジンカバー。
【請求項３】
前記円形取付孔は、該円形取付孔の径方向に対向するように設けられた一対の前記円弧状嵌合凹部と、該円形取付孔の径方向に対向するように設けられた一対の前記逃げ凹部とからなる請求項１又は２に記載のエンジンカバー。
【請求項４】
前記取付座板部は、前記カバー本体部の側端部から片持ち梁状に延びて設けられており、  前記円形取付孔は、該円形取付孔の径方向に対向するように設けられた一対の前記円弧状嵌合凹部と、該円形取付孔の径方向に対向するように設けられた一対の前記逃げ凹部とからなり、
一対の前記逃げ凹部は、前記取付座板部が前記カバー本体部の側端部から延びる方向に対向している請求項１に記載のエンジンカバー。
【発明の詳細な説明】
【技術分野】
【０００１】
本発明は、エンジンを覆うためのエンジンカバーに関し、詳しくはエンジンに対して取り付けられる取付部における構造を改良したエンジンカバーに関する。
【背景技術】
【０００２】
車両用エンジンには、例えばシリンダヘッド上面を覆うことで、エンジンから漏出する騒音を防止したり、あるいはエンジンルーム内の意匠性を高めたりするエンジンカバーが取り付けられている。このエンジンカバーは、例えばエンジン側に突設されたピンやボルト等に対して取り付けられる（例えば、特許文献１参照）。
【０００３】
特許文献１に開示されたエンジンカバーの取付構造では、エンジンカバーの裏面に取付座を一体に設けるとともに、この取付座に係合凹部を有するラバーマウントを組み付けて保持させている。そして、エンジン本体側に突設されたピンをラバーマウントの係合凹部に圧入させることで、エンジン本体にエンジンカバーを取り付けている。
【０００４】
ここに、前記取付座は、一側面が開口し、３つの側壁部と取付座板部としての天井部とを有する箱状を呈しており、該一側面側に口が開いた取付孔が天井部に形成されている。一方、前記ラバーマウントは、マウント本体部と、マウント本体部に一体に形成され取付孔に対応する外形状を有する嵌合首部と、嵌合首部に一体に形成され嵌合首部の外形状よりも大きな外形状を有する係止頭部とを有している。そして、取付座の開口側面側からラバーマウントを圧入して、取付孔にラバーマウントの嵌合首部を嵌合させることで、取付座にラバーマウントを組み付け保持させる。
【０００５】
ところで、エンジン本体やエンジンカバーの形状によっては、前記取付座をエンジンカバーの裏面の所望箇所（エンジン本体にエンジンカバーを取り付けるのに都合の良い箇所）に設けることができない場合がある。この場合、例えば前記所望箇所の近傍におけるエンジンカバーの側端部に帯状の取付板を片持ち梁状に延設し、この取付板にラバーマウントを組み付けて保持させることになる。
【０００６】
ところが、エンジンカバーの側端部から片持ち梁状に延設された取付板に、取付板の例えば先端側に開口した切り欠き形状の取付孔を形成しようとすると、この取付板において必要な強度を確保することが困難になる。一方、この取付板の強度確保のために、切り欠きをつないだ円形状の取付孔を形成した場合は、取付孔に対するラバーマウントの組み付け性が低下してしまう。
【０００７】
他方、特許文献２には、前記ラバーマウントと同様、本体部と、嵌合首部と、係止頭部とを有するゴムダンパが、ボトムプレートに組み付け保持された車両用シートが開示されている。このボトムプレートには、略三角形状の取付孔が設けられている。この取付孔においては、三角形の第１辺が掛着部を構成するとともに、三角形の第２辺が誘導部を構成する。
【０００８】
そして、この特許文献２には、取付孔における掛着部及び誘導部の作用により、取付孔に対するゴムダンパの組付けが容易になると記載されている。すなわち、取付孔の掛着部にゴムダンパの係止頭部を引っ掛けて、係止頭部の一部を取付孔内に位置させる。そして、係止頭部を取付孔に軽く押し付けながらゴムダンパを回転させて、係止頭部を誘導部に摺動、圧接させる。これにより、係止頭部は、変形しながら取付孔内に誘導されて自然に入っていく。
【０００９】
しかしながら、特許文献２に開示の技術では、組み付け状態において、略三角形状の取付孔に円形の嵌合首部が嵌合していることから、ゴムダンパの姿勢が不安定になり易く、ゴムダンパが取付孔から外れることが懸念される。
【特許文献１】特開２００４−３１６６３７号公報
【特許文献２】特開２００６−２８１９７０号公報
【発明の開示】
【発明が解決しようとする課題】
【００１０】
本発明は上記実情に鑑みてなされたものであり、エンジンカバーに一体に設けられる取付座の強度を確保しつつ、取付孔に対するラバーマウントの組み付け容易性を向上させることを目的とする。
【００１１】
また、本発明は、取付孔に対するラバーマウントの姿勢安定性及び耐脱落性を維持しつつ、取付孔に対するラバーマウントの組み付け容易性を向上させることを他の目的とする。
【課題を解決するための手段】
【００１２】
上記課題を解決する本発明のエンジンカバーは、カバー本体部と、該カバー本体部に一体に設けられ、円形取付孔が貫設された取付座板部と、該円形取付孔に組み付けられて保持されたラバーマウントと、を備え、前記ラバーマウントは、マウント本体部と、該マウント本体部に一体に形成され、前記円形取付孔に嵌合される円形の外形状を有する嵌合首部と、該嵌合首部に一体に形成され、該嵌合首部の外形状よりも大きな外形状を有する係止頭部と、を有し、前記円形取付孔は、前記嵌合首部の外形状に対応する円弧を有する少なくとも１個の円弧状嵌合凹部と、該円形取付孔の円周上の少なくとも１箇所に該円形取付孔から遠心方向に向かって凹むように設けられ、該円形取付孔に対する前記ラバーマウントの組み付け時に前記係止頭部が部分的に進入することを許容する逃げ凹部とからなることを特徴とするものである。
【００１３】
このエンジンカバーでは、取付座板部にラバーマウントを組み付ける際、取付座板部の円形取付孔にラバーマウントの係止頭部を押し込む。このとき、係止頭部は弾性変形しつつその一部が円形取付孔の逃げ凹部内に進入して入り込む。係止頭部が部分的に逃げ凹部内に進入すれば、その分だけ円弧状嵌合凹部の部分を通過する係止頭部の体積が減少するので、係止頭部は円形取付孔を通過し易くなる。また、係止頭部が部分的に逃げ凹部内に進入することで、係止頭部の変形の自由度が大きくなるとともに、その変形量も大きくなる。このため、円形取付孔に係止頭部を押し込む際、円形取付孔を通過し易くなるように係止頭部を大きく弾性変形させることができる。したがって、円形取付孔に対するラバーマウントの組み付け容易性が向上する。
【００１４】
また、円形取付孔にラバーマウントが組み付けられた状態では、円形取付孔の円弧状嵌合凹部にラバーマウントの嵌合首部が嵌合している。このため、円弧状に延びた円弧状嵌合凹部と嵌合首部との嵌合部により、円形取付孔に対するラバーマウントの姿勢安定性及び耐脱落性を維持することができる。
【００１５】
さらに、取付座板部に形成された円形取付孔は、取付座板部の端縁に開口した切り欠き形状となっていないので、取付座板部に必要な強度を確保することができる。
【００１６】
本発明のエンジンカバーの好適な態様において、前記取付座板部は、前記カバー本体部の側端部から片持ち梁状に延びて設けられている。
【００１７】
片持ち梁状に延びて設けられた取付座板部に、仮に取付座板部の端縁に開口した切り欠き形状の取付孔を形成した場合、取付座板部に必要な強度を確保することが困難になる。この点、この態様のエンジンカバーでは、円形取付孔が取付座板部の端縁に開口した切り欠き形状となっていないので、取付座板部に必要な強度を確保するのに有利となる。したがって、エンジンカバーの側端部に片持ち梁状の取付座板部を設ける場合であっても、その取付座板部の必要な強度を容易に確保することができる。
【００１８】
また、本発明のエンジンカバーにおいて、前記円形取付孔は、該円形取付孔の径方向に対向するように設けられた一対の前記円弧状嵌合凹部と、該円形取付孔の径方向に対向するように設けられた一対の前記逃げ凹部とからなることが好ましい。
【００１９】
この態様のエンジンカバーでは、円形取付孔に押し込まれたラバーマウントの係止頭部の一部が、径方向に対向する一対の逃げ凹部の双方に進入して入り込む。このため、例えば逃げ凹部が一つしかない場合や一対の逃げ凹部が径方向に対向していない場合と比較して、係止頭部の変形の自由度及び変形量がより大きくなる。したがって、円形取付孔に対するラバーマウントの組み付け容易性をより向上させることができる。
【００２０】
さらに、本発明のエンジンカバーにおいて、前記取付座板部は、前記カバー本体部の側端部から片持ち梁状に延びて設けられており、前記円形取付孔は、該円形取付孔の径方向に対向するように設けられた一対の前記円弧状嵌合凹部と、該円形取付孔の径方向に対向するように設けられた一対の前記逃げ凹部とからなり、一対の前記逃げ凹部は、前記取付座板部が前記カバー本体部の側端部から延びる方向に対向していることが好ましい。
【００２１】
この態様のエンジンカバーでは、取付座板部がカバー本体部の側端部から延びる方向、すなわち取付座板部の長手方向に、一対の逃げ凹部が対向している。このため、例えば一対の逃げ凹部が取付座板部の短手方向に対向している場合と比較して、逃げ凹部が取付座板部の強度に及ぼす影響を小さくすることができ、取付座板部の強度を確保する上で有利となる。
【発明の効果】
【００２２】
したがって、本発明のエンジンカバーによれば、エンジンカバーに一体に設けられる取付座板部の強度を確保しつつ、円形取付孔に対するラバーマウントの組み付け容易性を向上させることができる。
【００２３】
また、本発明のエンジンカバーによれば、円形取付孔に対するラバーマウントの姿勢安定性及び耐脱落性を維持しつつ、円形取付孔に対するラバーマウントの組み付け容易性を向上させることができる。
【発明を実施するための最良の形態】
【００２４】
以下、本発明の実施形態について、図面を参照しつつ具体的に説明する。
【００２５】
（実施形態１）
図１〜図４に示される本実施形態に係るエンジンカバー１は、カバー本体部１０と、カバー本体部１０に一体に設けられた１個の取付座板部２０と、カバー本体１０に一体に設けられた３個の取付座（図示せず）とを備えている。これらカバー本体部１０、取付座板部２０及び３個の取付座は、ＰＰ（ポリプロピレン）やＰＡ（ナイロン）等の合成樹脂から射出成形により一体に成形されたものである。
【００２６】
カバー本体１０は、図１に示されるように、略四角形状のトレイ状を呈している。このカバー本体１０において、四隅のうちの一つの近傍に取付座板部２０が配設されており、四隅のうちの他の三つに図示しない取付座がそれぞれ配設されている。なお、３個の取付座は、カバー本体１０の裏面に一体に設けられている。
【００２７】
取付座板部２０は、カバー本体１０の側端部から略帯状に延びて片持ち梁状に設けられている。そして、この取付座板部２０の先端側に、厚さ方向に貫通する円形取付孔３０が形成されている。また、取付座板部２０の基端側には、取付座板部２０自体の剛性を向上させるために、基端に向かうに連れて幅広となる傾斜幅広部２１が設けられている。さらに、取付座板部２０の基端側には、取付座板部２０を補強するための複数の補強リブ２２が設けられている。この補強リブ２２は、カバー本体１０の側端面１０ａと取付座板部２０の基端側上面（図１の上面）とを一体に連結することで、取付座板部２０を補強している。
【００２８】
円形取付孔３０は、図２に示されるように、円形取付孔３０の径方向に対向するように設けられた一対の円弧状嵌合凹部３１、３１と、円形取付孔３０の径方向に対向するように設けられた一対の逃げ凹部３２、３２とからなる。
【００２９】
一対の円弧状嵌合凹部３１、３１は、後述するラバーマウント４０の嵌合首部４２の外形状に対応する円弧を有しており、この嵌合首部４２の外径にほぼ等しい内径を有している。
【００３０】
一対の逃げ凹部３２、３２は、円形取付孔３０の円周上の２箇所で円形取付孔３０から遠心方向に向かって凹むように設けられている。また、一対の逃げ凹部３２、３２は、取付座板部２０がカバー本体１０の側端部から帯状に片持ち梁状に延びる方向（Ａ方向）に対向している。これら逃げ凹部３２、３２は、円形取付孔３０に対する後述するラバーマウント４０の組み付け時に、後述する係止頭部４３が弾性変形により部分的に進入することを許容するものである。
【００３１】
なお、この実施形態では、隣接する円弧状嵌合凹部３１及び逃げ凹部３２の境界は、それぞれ角部３３となっている。
【００３２】
そして、このエンジンカバー１の取付座板部２０には、ラバーマウント４０が組み付け、保持されている。なお、エンジンカバー１の３個の取付座にも図示しないラバーマウントが組み付け保持されている。
【００３３】
ラバーマウント４０は、図３に示されるように、ゴム弾性体よりなる一体成形品で、マウント本体部４１と、このマウント本体部４１に一体に形成された嵌合首部４２と、この嵌合首部４２に一体に形成された係止頭部４３とを有している。
【００３４】
また、ラバーマウント４０は、エンジン５０側に突設されたボルト５１が挿通される中心挿通孔４４を有している。この中心挿通孔４４は、先端側の係止頭部４３の部分に設けられ、ボルト５１が嵌合するボルト嵌合部４４ａと、基端側の嵌合首部４２及びマウント本体部４１の部分に設けられ、ボルト５１を案内するテーパ状内周面４４ｂとからなる。このテーパ状内周面４４ｂは、ラバーマウント４０の基端側に向かうに連れて内径が徐々に大きくされている。これにより、中心挿通孔４４は、ラバーマウント４０の基端側に向かうに連れて、開口が徐々に大きくなっている。
【００３５】
マウント本体部４１は、円形で大径の外形状を有している。
【００３６】
嵌合首部４２は、円形でマウント本体部４１より小径の外形状を有しており、円形取付孔３０の一対の円弧状嵌合凹部３１、３１に嵌合される。
【００３７】
係止頭部４３は、円形で嵌合首部４２側において嵌合首部４２より大径の外形状を有しており、取付座板部２０に係止される。この係止頭部４３は、先端に向かうに連れて小径となるテーパ状外周面４３ａを有している。なお、係止頭部４３は、マウント本体部４１よりも小径である。また、係止頭部４３の先端における外径（係止頭部４３の最小外径）は、円形取付孔３０の円弧状嵌合凹部３１における内径よりも小さくされている。
【００３８】
このエンジンカバー１では、取付座板部２０にラバーマウント４０を組み付ける際、取付座板部２０の円形取付孔３０にラバーマウント４０の係止頭部４３の先端を挿入する。このとき、係止頭部４３の先端における外径は、円形取付孔３０の円弧状嵌合凹部３１における内径よりも小さくされているので、係止頭部４３の先端を容易に円形取付孔３０内に挿入することができる。そして、係止頭部４３のテーパ状外周面４３ａを円形取付孔３０の円弧状嵌合凹部３１に圧接させながら、係止頭部４３を円形取付孔３０内に押し込む。このとき、係止頭部４３は弾性変形しつつその一部が円形取付孔３０の一対の逃げ凹部３２、３２内に進入して入り込む。このように係止頭部４３が部分的に逃げ凹部３２、３２内に進入すれば、その分だけ円弧状嵌合凹部３１、３１の部分を通過する係止頭部４３の体積が減少するので、係止頭部４３は円形取付孔３０を通過し易くなる。また、係止頭部４３が部分的に逃げ凹部３２、３２内に進入することで、係止頭部４３の変形の自由度が大きくなるとともに、その変形量も大きくなる。このため、円形取付孔３０に係止頭部４３を押し込む際、円形取付孔３０を通過し易くなるように係止頭部４３を大きく弾性変形させることができる。そして、係止頭部４３が円形取付孔３０を通過するまでラバーマウント４０を押し込んで、ラバーマウント４０の嵌合首部４２を円形取付孔３０の一対の円弧状嵌合凹部３１、３１に嵌合させるとともに、係止頭部４３を取付座板部２０に係止させる。こうして、取付座板部２０の円形取付孔３０に対してラバーマウント４０の組付けを完了する。
【００３９】
このように、本実施形態のエンジンカバー１では、円形取付孔３０に設けられた一対の逃げ凹部３１、３１内に係止頭部４３の一部を逃がしつつ、係止頭部４３を押し込むことができる。このため、円形取付孔３０に対するラバーマウント４０の組み付け容易性が向上する。
【００４０】
特に、このエンジンカバー１では、円形取付孔３０の径方向に対向するように一対の逃げ凹部３２、３２が配設されているので、円形取付孔３０に押し込まれた係止頭部４３の一部が、対極位置にある一対の逃げ凹部３２、３２の双方に進入して入り込む。このため、例えば逃げ凹部３２が一つしかない場合や一対の逃げ凹部３２、３２が径方向に対向していない場合と比較して、係止頭部４３の変形の自由度及び変形量がより大きくなる。したがって、このエンジンカバー１によれば、円形取付孔３０に対するラバーマウント４０の組み付け容易性をより向上させることができる。
【００４１】
また、円形取付孔３０にラバーマウント４０が組み付けられた状態では、図４に示されるように、円形取付孔３０の一対の円弧状嵌合凹部３１、３１にラバーマウント４０の嵌合首部４２が嵌合している。すなわち、一対の円弧状嵌合凹部３１、３１の内面の略全体にラバーマウント４０の嵌合首部４２が接触している。このため、円弧状に延びた２つの円弧状嵌合凹部３１、３１と嵌合首部４２との嵌合部により、円形取付孔３０に対するラバーマウント４０の姿勢安定性及び耐脱落性を維持することができる。
【００４２】
さらに、取付座板部２０に形成された円形取付孔３０は、取付座板部２０の端縁に開口した切り欠き形状となっていないので、取付座板部３０において必要な強度を確保することが容易となる。しかも、この取付座板部２０がカバー本体部１０の側端部から延びるＡ方向、すなわち取付座板部２０の長手方向に、一対の逃げ凹部３２、３２が対向しているため、逃げ凹部３２、３２が取付座板部２０の強度に及ぼす影響を小さくすることができる。また、カバー本体部２０の側端部から片持ち梁状に延びる取付座板部２０においては、このカバー本体部２０が延びるＡ方向における強度の方が、Ａ方向の一端がカバー本体部２０に固定されている分だけ、Ａ方向に垂直なＢ方向における強度よりも大きくなる。このため、片持ち梁状に延びるＡ方向に逃げ凹部３２、３２を配置したこの取付座板部２０によれば、例えば前記Ｂ方向に逃げ凹部３２、３２を配置する場合と比較して、取付座板部２０の強度を確保する上で有利となる。したがって、本実施形態のように、エンジンカバー１の側端部に片持ち梁状の取付座板部２０を設ける場合であっても、その取付座板部２０の必要な強度を容易に確保することができる。よって、ラバーマウント４０の装着時に取付座板部２０が破損することを抑えることが可能となる。
【００４３】
なお、カバー本体１０の裏面に設けられた取付座に組み付けられる他の３個のラバーマウントは、ボルト嵌合部４４ａの代わりに、ピン頭部が圧入、係合される球面凹部（図示せず）が設けられている。このため、エンジン５０に対するエンジンカバー１の取り付けは、以下のようにして行うことができる。
【００４４】
すなわち、エンジン５０側の所定位置に突設された係合部５２を有するボルト５１に対してラバーマウント４０を位置決めするとともに、エンジン５０側の他の所定位置にそれぞれ突設された３個のピン（図示せず）に対して他の３個のラバーマウントを位置決めしつつ、エンジンカバー１をエンジン５０の上方から被せる。このとき、エンジン５０側のボルト５１等をラバーマウント４０のテーパ状内周面４４ｂ等に案内させることで、エンジン５０に対するエンジンカバー１の位置決めを容易に行うことができる。そして、ボルト５１をラバーマウント４０の中心挿通孔４４に挿通させてボルト嵌合部４４ａに嵌合させるとともに、ボルト５１の係合部５２をラバーマウント４０の係止頭部４３の先端面４３ａに係止させる。これにより、ボルト５１に対してラバーマウント４０が抜け止めされ、エンジン５０にエンジンカバー１が固定される。
【００４５】
（実施形態２）
図５に示される本実施形態は、円形取付孔３０の形状を変更したものである。
【００４６】
すなわち、この実施形態に係るエンジンカバー１における円形取付孔３０は、前記実施形態１と同様、径方向に対向する一対の円弧状嵌合凹部３１、３１と、径方向に対向する一対の逃げ凹部３２、３２とを有している。そして、各円弧状嵌合凹部３１と各逃げ凹部３２との境界には、前記角部３３の代わりに、曲面部３４がそれぞれ形成されている。
【００４７】
このように、角部３３の代わりに曲面部３４を形成すれば、円形取付孔３０内に押し込まれた係止頭部４３の変形の自由度や変形量がより大きくなると考えられる。このため、円形取付孔３０に対するラバーマウント４０の組み付け容易性をより向上させることができる。
【００４８】
その他の構成及び作用効果は前記実施形態１と同様である。
【００４９】
（その他の実施形態）
なお、前述の実施形態１又は２では、エンジンカバー１の側端部に片持ち梁状に設けられた取付座板部２０に、円弧状係合凹部３１及び逃げ凹部３２を有する円形取付孔３０を形成する例について説明したが、本発明はこれに限定されない。例えば、エンジンカバー１の裏面に設けられた取付座の取付座板部に、円弧状係合凹部３１及び逃げ凹部３２を有する円形取付孔３０を形成してもよい。
【００５０】
また、エンジンカバー１において、円弧状係合凹部３１及び逃げ凹部３２を有する円形取付孔３０を形成する取付座板部の数も限定されず、１個でも複数個でもよい。
【００５１】
さらに、前記円形取付孔３０において、円弧状係合凹部３１及び逃げ凹部３２の数や大きさも特に限定されず、取付座板部２０の強度やラバーマウント４０の組み付け容易性等を考慮して、適宜設定することができる。例えば、円弧状係合凹部３１及び逃げ凹部３２を１個ずつ有する円形取付孔としたり、円弧状係合凹部３１及び逃げ凹部３２を３個又は４個ずつ有する円形取付孔としたりしてもよい。
【図面の簡単な説明】
【００５２】
【図１】実施形態１のエンジンカバーの分解斜視図である。
【図２】実施形態１のエンジンカバーの要部平面図である。
【図３】実施形態１のエンジンカバーに係るラバーマウントの断面図である。
【図４】実施形態１のエンジンカバーに係り、このエンジンカバーをエンジン側に取り付けた状態を示す要部断面図である。
【図５】実施形態２のエンジンカバーの要部平面図である。
【符号の説明】
【００５３】
１…エンジンカバー              １０…カバー本体部
２０…取付座板部                  ３０…円形取付孔
３１…円弧状嵌合凹部              ３２…逃げ凹部
４０…ラバーマウント              ４１…マウント本体部
４２…嵌合首部                    ４３…係止頭部
【図１】
2008196395.tif 000003
【図２】
2008196395.tif 000004
【図３】
2008196395.tif 000005
【図４】
2008196395.tif 000006
【図５】
2008196395.tif 000007